(57)【要約】【課題】加熱機器１の消費電流を十分に低下させると共に、無線リモコン６により加熱手段２の制御を迅速に行うことができる加熱機器２を提供する。【解決手段】加熱機器は、加熱手段２と、加熱手段２の運転を操作する操作手段３と、操作手段３の操作に応じて加熱手段２を制御する制御手段４と、無線リモコン６と、リモコン信号を受信する受信部７とを備える。制御手段４は、リモコン信号に応じて加熱手段２に対して所定の操作を行う。受信部７を所定の周期ｃで間欠的に駆動し、加熱機器１の加熱状況により所定の周期ｃまたは受信部７を駆動する時間ｄを変更させる受信制御部１２を備える。【選択図】図１
2010144961.tif 000002
【特許請求の範囲】
【請求項１】
加熱手段と、該加熱手段の運転を操作する操作手段と、該操作手段の操作に応じて加熱手段を制御する制御手段と、リモコン信号を送信する無線リモコンと、該無線リモコンにより送信された該リモコン信号を受信する受信部とを備え、該制御手段は、該受信部により受信された該リモコン信号に応じて該加熱手段に対して所定の制御を行う加熱機器において、
該受信部を所定の周期ｃで間欠的に駆動し、該加熱機器の加熱状況により該所定の周期ｃまたは該受信部を駆動する時間ｄを変更する受信制御手段を備えることを特徴とする加熱機器。
【請求項２】
前記加熱手段による被加熱物の温度を検出する温度検出手段を備え、
前記受信制御手段は、該温度検出手段により検出された温度に基づいて前記加熱状況を判断することを特徴とする請求項１記載の加熱機器。
【請求項３】
前記加熱手段による加熱状態で、所定の時点より計時を行う計時手段を備え、
前記受信制御手段は、該計時手段により計時された時間に基づいて前記加熱状況を判断することを特徴とする請求項１または請求項２記載の加熱機器。
【請求項４】
前記受信制御手段は、前記制御手段内にその機能の１つとして設けられていることを特徴とする請求項１乃至請求項３のいずれか１項記載の加熱機器。
【発明の詳細な説明】
【技術分野】
【０００１】
本発明は、例えば、調理機器等の加熱機器に関するものである。
【背景技術】
【０００２】
従来、加熱手段と、該加熱手段の運転を操作する操作手段と、該操作手段の操作に応じて加熱手段を制御する制御手段と、リモコン信号を送信する無線リモコンと、該無線リモコンにより送信されたリモコン信号を受信する受信部とを備え、該制御手段は、該受信部によりリモコン信号が受信されたとき、該加熱手段に対して所定の制御を行う調理用加熱機器が知られている（例えば、特許文献1参照）。
【０００３】
このような加熱機器によれば、受信部が無線リモコンにより送信されたリモコン信号を受信すると、制御部が、前記加熱手段に対して所定の制御を行う。ここで、所定の制御とは、例えば、加熱手段の加熱動作を停止するである。このようにすることで、使用者が加熱機器の側から離れているときに調理物の吹きこぼれや焦げ付きが生じるなどの緊急時にも、離れたところから無線リモコンを用いて即座に加熱機器の停止操作を行うことができる。
【０００４】
このような加熱機器では、常時リモコン信号を受信可能とするために、受信部を常に駆動する、即ち駆動電流を流している。そのため、携帯型あるいは卓上型のコンロのように電池を電源とする加熱機器の場合には、電池の消費が早いという問題がある。
【０００５】
そこで、受信部を常時駆動せず、所定時間毎に一定時間だけ間欠的に駆動することが考えられる。この場合、無線リモコンは、リモコン信号を、前記所定時間よりも長い時間出力することで、受信部はリモコン信号を受信することができる。
【０００６】
しかしながら、このようにすると、無線リモコンを操作するタイミングによっては、所定時間の分だけ、無線リモコンから送信されたリモコン信号が受信部に受信されるまでに、最大で上記所定時間の長さだけ遅延が生じることがある。この結果、緊急を要する場合、例えば、吹きこぼれや焦げ付き等の発生し得る場合に、加熱を緊急に停止するリモコン信号を送信しても上記遅延により手遅れとなってしまうおそれがある。これに対し、前記所定時間、即ち受信部を駆動しない時間を短くすると、電池の消費を抑制する効果が失われることになる。
【特許文献１】特開２００７−１４７１０６号公報
【発明の開示】
【発明が解決しようとする課題】
【０００７】
本発明は、上記のような無線リモコンで操作する加熱機器において、電流の消費抑制と、無線リモコンによる迅速な操作という２つの要請を満足することができる加熱機器を提供することを目的とする。
【課題を解決するための手段】
【０００８】
かかる目的を達成するために、本発明の加熱機器は、加熱手段と、該加熱手段の運転を操作する操作手段と、該操作手段の操作に応じて加熱手段を制御する制御手段と、リモコン信号を送信する無線リモコンと、該無線リモコンにより送信された該リモコン信号を受信する受信部とを備え、該制御手段は、該受信部により受信された該リモコン信号に応じて該加熱手段に対して所定の操作を行う加熱機器において、該受信部を所定の周期ｃで間欠的に駆動し、該加熱機器の加熱状況により該所定の周期ｃまたは該受信部を駆動する時間ｄを変更する受信制御手段を備えることを特徴とする。
【０００９】
本発明の加熱機器では、受信制御手段により受信部が所定の周期ｃで間欠的に駆動されるが、加熱機器の加熱状況に応じて周期ｃまたは受信部を駆動する時間（以下、駆動時間という）ｄが変更される。例えば、加熱手段の制御に急を要する状況では、周期ｃを短く設定する、または駆動時間ｄを長く設定し、そうでない場合には、周期ｃを長く設定する、または駆動時間ｄを短く設定する。
【００１０】
このようにすることで、本発明の加熱機器は、制御に急を要する状況では、無線リモコンによる操作に対する即応性を確保すると共に、急を要しない状況では、受信部を所定の周期ｃのうち駆動時間ｄを除く時間で非駆動として電流の消費抑制を図っている。
【００１１】
また、本発明の加熱機器では、前記加熱手段による被加熱物の温度を検出する温度検出手段を備え、前記受信制御手段は、該温度検出手段により検出された温度に基づいて前記加熱状況を判断するようにしてもよい。
【００１２】
また、前記加熱手段による加熱状態で、所定の時点より計時を行う計時手段を備え、前記受信制御手段は、該計時手段により計時された時間に基づいて前記加熱状況を判断するようにしてもよい。
【００１３】
また、前記受信制御手段は、前記制御手段内にその機能の１つとして設けてもよい。
【発明を実施するための最良の形態】
【００１４】
次に、添付図面を参照しながら本発明の実施形態について説明する。図１は本実施形態の加熱機器の概略構成を示すブロック図、図２は本実施形態の加熱機器における第１の作動を示すフローチャート、図３は本実施形態の加熱機器における第１の作動時の被調理物の温度変化と受信部の駆動との関係を示すグラフ、図４は本実施形態の加熱機器の第２の作動を示すフローチャート、図５は本実施形態の加熱機器における第２の作動時の被調理物の温度変化と受信部の駆動との関係を示すグラフ、図６は本実施形態の加熱機器における第３の作動時の被調理物の温度変化と受信部の駆動との関係を示すグラフである。
【００１５】
本実施形態の加熱機器は、加熱手段としてガスバーナを備えるガスコンロである。図１に示すように、ガスコンロ１は、ガス燃焼部２と、該ガス燃焼部２の点火・消火及び火力調整等の運転制御を行う操作手段としての本体操作パネル３と、該本体操作パネル３の操作に応じてガスバーナの運転を制御する制御手段４とを備えており、電池５により電源が供給される。また、ガスコンロ１は、無線リモコン６と、赤外線信号受信部７とを備えている。
【００１６】
なお、図示しないが、ガス燃焼部２は、ガスバーナ、ガスバーナに燃料ガスを供給するガス供給路、及び、ガス供給路に設けられた安全弁やガス流量調整弁といった複数の弁により構成されており、本体操作パネル３は、点火・消火スイッチ、火力調整摘み等の各種操作スイッチと、調理モード、例えば、湯沸かしモードを選択するためのスイッチとを備えている。
【００１７】
また、本実施形態のガスコンロ１は、温度センサ８を備えており、該温度センサ８は、ガス燃焼部２により加熱される被加熱物の温度を検出し、該検出した温度データを制御手段４に向かって出力する。
【００１８】
制御手段４は、タイマ９と、燃焼制御部１０とを備えている。タイマ９は、ガス燃焼部２による加熱状態で、所定の時点より計時を開始する。燃焼制御部１０は、本体操作パネル３による操作に応じて、点火・消火及び火力調整等のガスバーナの制御を行う。
【００１９】
無線リモコン６は、例えば、加熱停止用の押しボタン式スイッチ１１を備え、該スイッチ１１を押圧することで、リモコン信号として赤外線信号を送信する。赤外線信号受信部７は、無線リモコン６から送信される赤外線信号を受信し、該受信した赤外線信号の受信データを制御手段４に向かって出力する。制御手段４は、前記受信データが入力されると、燃焼制御部１０により、ガスバーナを消火する。
【００２０】
また、本実施形態のガスコンロ１において、制御手段４は、さらに受信制御部１２を備えている。受信制御部１２は、赤外線信号受信部７を所定の周期ｃで間欠的に駆動させ、温度センサ８により検出された温度データやタイマ９により計時された時間ｔとに基づき、該周期ｃを変更する。
【００２１】
次に、本実施形態の加熱機器であるガスコンロ１の作動を説明する。
【００２２】
図１を参照して、本実施形態のガスコンロ１により調理を行うとき、使用者が本体操作パネル３を操作して、点火及び火力調節を行う。制御手段４は本体操作パネル３の操作に応じて燃焼制御部１０を介してガス燃焼部２の制御を行う。この間、調理物の状態を確認しながら火加減を調節するために、使用者はガスコンロ１の側について調理作業が行われる。そして、調理が完了した時点で、使用者は本体操作パネル３を操作して消火させる。
【００２３】
ところで、使用者は調理作業中であっても、やむを得ずガスコンロ１の側から離れなければならないことがある。そしてさらに、使用者がガスコンロ１の側から離れている間に、調理物の吹きこぼれや焦げ付きが発生すると、使用者は即座にガスコンロ１の運転を停止（ガスバーナを消火）させる必要がある。
【００２４】
このように調理物の吹きこぼれや焦げ付きを防ぐために緊急の操作を要する可能性が高いと判断されるときには、本実施形態のガスコンロ１は、赤外線信号受信部７を駆動する際に、周期ｃを予め短く設定する、または周期ｃ内の駆動時間ｄを長く設定することで、使用者が無線リモコン６のスイッチ１１を押圧する操作を行ったとき、即座にガスコンロ１の運転を停止（ガスバーナを消火）することができる。
【００２５】
その際のガスコンロ１の第１の作動として、「湯沸かしモード」を選択した場合を次に説明する。
【００２６】
「湯沸かしモード」とは、沸騰状態を判別する沸騰判別条件を設定して、その設定した沸騰判別条件が満たされるとガスコンロ１の火力を「弱」に調整し、所定の時間維持するものである。
【００２７】
まず、水を収容した調理器具をガス燃焼部２の上部に載置した後、図２に示すように、ガスコンロ１の運転が開始されてＳＴＥＰ１においてガスバーナが点火される。このとき、前記ガスバーナの火力は、図３に示すように、「強」である。次に、ＳＴＥＰ２において、受信制御部１２により赤外線信号受信部７が駆動される。このとき、赤外線信号受信部７は、周期ｃがｃ１ａ（例えば、７００ミリ秒）で、駆動時間ｄがｄ１ａ（例えば、２００ミリ秒）である（即ち、周期ｃ１ａ内の赤外線信号受信部７の非駆動時間は５００ミリ秒である）。温度センサ８により検出される前記調理器具の温度と、周期ｃ及び駆動時間ｄとを図３にまとめて示す。
【００２８】
次に、ＳＴＥＰ３において、使用者により本体操作パネル３に設けられている「湯沸かし」スイッチが押圧されると、ＳＴＥＰ４においてタイマ９の時間ｔがリセット（ｔ＝０）され、ついで、ＳＴＥＰ５においてタイマ９が計時を開始する。次に、ＳＴＥＰ６において温度センサ８により検出される前記調理器具の温度Ｔが、所定温度Ｔ１（例えば、９０℃）に達すると、ＳＴＥＰ７に進み、沸騰判別が開始される。その後、水は沸騰間際になっているため、吹きこぼれが生じる可能性が高いと考えられる。そこで、ＳＴＥＰ８において赤外線信号受信部７の周期ｃがｃ１ｂ（例えば、４００ミリ秒）に短縮される（即ち、周期ｃ１ｂ内の赤外線信号受信部７の非駆動時間は２００ミリ秒である）。次に、ＳＴＥＰ９において前記沸騰条件判別が行われる。前記沸騰条件判別は、前記温度Ｔが、沸騰判別温度、例えば、１００℃に到達し、例えば、３秒以上維持されたときに、沸騰判別条件が満たされたと判別する。ＳＴＥＰ９において沸騰判別されると、ＳＴＥＰ１０においてタイマ９の時間ｔがリセット（ｔ＝０）され、次いで、ＳＴＥＰ１１においてタイマ９が再度計時を開始する。その後、ＳＴＥＰ１２において燃焼制御部１０により前記ガスバーナの火力が、図３に示すように「弱」にされる。この結果、吹きこぼれの可能性は少ないと考えられるため、ＳＴＥＰ１３において周期ｃはｃ１ｃ（例えば、７００ミリ秒）に延長される（即ち、周期ｃ１ｃ内の赤外線信号受信部７の非駆動時間は５００ミリ秒である）。その後、ＳＴＥＰ１４においてタイマ９の時間ｔが、所定時間ｔ１（例えば、５分）以上であれば、ＳＴＥＰ１５へ進んで前記ガスバーナが消火される。
【００２９】
尚、本実施形態のガスコンロ１の第１の作動として、周期ｃ１ｃを７００ミリ秒としたが、これに限るものではなく、それ以上の長さ、例えば、８００ミリ秒としてもよい。
【００３０】
次に、本実施形態のガスコンロ１の第２の作動として、「ハイカット温調モード」である場合を説明する。
【００３１】
ここで、「ハイカット温調モード」とは、調理中において、温度センサ８による調理器具の検出温度が、予め設定される温度Ｔ２（例えば、２５０℃）よりも低い温度に維持されるように、ガスバーナの火力の強弱を切り替える機能であり、通常、該モードが選択されている。
【００３２】
先ず、調理器具をガス燃焼部２の上部に載置した後、図４に示すように、ガスコンロ１の運転が開始されて、ＳＴＥＰ２１においてガスバーナが点火される。このとき、前記ガスバーナの火力は、図５に示すように、「強」である。
【００３３】
次に、ＳＴＥＰ２２において、受信制御部１２により赤外線信号受信部７が駆動される。このとき、赤外線信号受信部７は、周期ｃがｃ２ａ（例えば、７００ミリ秒）で、駆動時間ｄがｄ２ａ（例えば、２００ミリ秒）である（即ち、周期ｃ２ａ内の赤外線信号受信部７の非駆動時間は５００ミリ秒である）。次いで、ＳＴＥＰ２３においてタイマ９の時間ｔがリセット（ｔ＝０）され、その後、ＳＴＥＰ２４としてタイマ９が計時を開始する。温度センサ８により検出される前記調理器具の温度と、周期ｃ及び駆動時間ｄとを図５にまとめて示す。
【００３４】
次に、ＳＴＥＰ２５において温度センサ８により前記調理器具の温度Ｔが、Ｔ２（例えば、２５０℃）に達すると、ＳＴＥＰ２６に進み、ハイカット温調が開始される。ハイカット温調が作動している間は、前記調理器具が高温状態にあり、使用者により無線リモコン６で消火する操作が行われる可能性が高いと考えられる。従って、ＳＴＥＰ２７において赤外線通信受信部７の周期ｃがｃ２ｂ（例えば、４００ミリ秒）に短縮される（即ち、周期ｃ２ｂ内の赤外線信号受信部７の非駆動時間は２００ミリ秒である）。その後、ＳＴＥＰ２８においてタイマ９の時間ｔが所定時間ｔ２（例えば、３０分）以上であれば、ＳＴＥＰ２９へ進んで前記ガスバーナが消火される。
【００３５】
本実施形態のガスコンロ１の第１及び第２の作動では、加熱状況に応じて周期ｃを変更する場合を説明したが、第１及び第２の作動は、いずれも、周期ｃを変更する代わりに、駆動時間ｄを変更するようにしてもよい。
【００３６】
この際のガスコンロ１の第３の作動を、例として、第２の作動で説明した「ハイカット温調モード」の場合に基づいて説明する。
【００３７】
第３の作動は、ＳＴＥＰ２７において、周期ｃをｃ２ａのまま変更せずに駆動時間ｄをｄ３ｂ（例えば、４００ミリ秒）とする（即ち、周期ｃ２ａ内の赤外線信号受信部７の非駆動時間を３００ミリ秒とする）こと以外、第２の作動と全く同一である。第３の作動時の、温度センサ８により検出される前記調理器具の温度と、周期ｃ及び駆動時間ｄとを図６にまとめて示す。
【００３８】
本実施形態のガスコンロ１では、第１の作動ではＳＴＥＰ２以降、第２，第３の作動では、ＳＴＥＰ２２以降であれば、赤外線信号受信部７が駆動しているため、無線リモコン６のスイッチ１１を操作することで、随時加熱を停止（ガスバーナを消火）させることができる。このとき、使用者により即座にガスコンロ１の運転を停止（ガスバーナを消火）させる必要があると判断される場合には、受信制御部１２により、赤外線信号受信部７が通常より短い周期ｃ１ｂ，ｃ２ｂで駆動しているか、通常より長い駆動時間ｄ３ｂで駆動することで非駆動時間が短くなっているため、即応性を確保することができる。
【００３９】
尚、本実施形態のガスコンロ１の各作動では、加熱状況に応じて、周期ｃを変更すると共に、駆動時間ｄを変更する様にしてもよい。また、加熱状況に応じて、周期ｃと駆動時間ｄとを同じ時間に設定し、赤外線信号受信部７が連続駆動となるようにしてもよい。
【００４０】
また、本実施形態のガスコンロ１は、その作動を、「湯沸かしモード」及び「ハイカット温調モード」の場合を例として説明したが、これらのモードに限定されるものではない。
【００４１】
本実施形態の制御手段４においては、無線リモコン６を用いることによってガスバーナを消火させる制御を行う例を示したが、消火に限るものでなく、例えば、火力を減少させる制御を行うようにしてもよい。
【００４２】
また、本実施形態のガスコンロ１においては、無線リモコン６により赤外線信号を送信した後、該赤外線信号が確かに赤外線信号受信部７により受信されたことを、音や光等で報知する報知手段を備えてもよい。
【００４３】
また、本実施形態のガスコンロ１においては、赤外線信号を用いるものを示したが、これに限るものではなく電波信号を用いるものであってもよい。
【図面の簡単な説明】
【００４４】
【図１】本発明の一実施形態の加熱機器の概略構成を示すブロック図。
【図２】本実施形態の加熱機器における第１の作動を示すフローチャート。
【図３】本実施形態の加熱機器における第１の作動時の被調理物の温度変化と受信部の駆動との関係を示すグラフ。
【図４】本実施形態の加熱機器における第２の作動を示すフローチャート。
【図５】本実施形態の加熱機器における第２の作動時の被調理物の温度変化と受信部の駆動との関係を示すグラフ。
【図６】本実施形態の加熱機器における第３の作動時の被調理物の温度変化と受信部の駆動との関係を示すグラフ。
【符号の説明】
【００４５】
１…ガスコンロ（加熱機器）、２…ガス燃焼部（加熱手段）、３…本体操作パネル（操作手段）、４…制御手段、６…無線リモコン、７…赤外線信号受信部（受信部）、８…温度センサ（温度検出手段）、９…タイマ（計時手段）、１２…受信制御部（受信制御手段）。
【図１】
2010144961.tif 000003
【図２】
2010144961.tif 000004
【図３】
2010144961.tif 000005
【図４】
2010144961.tif 000006
【図５】
2010144961.tif 000007
【図６】
2010144961.tif 000008